(57)【要約】【課題】従来、建屋における室内空気の換気及び／又は循環方法と、その装置に関して、室内の換気は、吸込か、排気かの二者択一であり、何れかを選択する構造である。また二者択一の構造では、建屋の換気と、この換気による温湿度調整（生育むらと、低・高温障害の回避）と、又は体温環境の調整に留まり、抜本的な換気と、この換気の効果を図るには、充分とは考えられない。また従来の構造は、室内空気の換気及び／又は循環は、意図しない。【構成】農事用、畜産用の建屋の妻面にファンを設置し、ファンの吸込み方向の、建屋外への開口と、建屋内への開口を切換え可能とした切換え手段を付設し、切換え手段を利用し、建屋への外気導入及び／又は換気を図り、又は建屋の内気の循環を図り、建屋内の作物、家畜、作業者等の成育、飼育、職場等の換気及び／又は温度並びに湿度、体温環境の最適化を図る建屋における室内空気の換気及び／又は循環方法である。【選択図】図７−１
2008144993.tif 000002
【特許請求の範囲】
【請求項１】
農事用、畜産用の建屋の妻面に、換気扇、循環扇用のファンを設置し、このファンの吸込み方向の、建屋外への開口と、建屋内への開口を切換え可能とした切換え手段を付設し、この切換え手段を利用することで、この建屋に外気を導入し、この建屋内の換気を図り、また建屋の内気の循環を図り、この建屋内の作物、家畜、作業者等の成育、飼育、職場等の換気及び／又は温度並びに湿度、体温環境の最適化を図ることを特徴とした建屋における室内空気の換気及び／又は循環方法。
【請求項２】
請求項１に記載の建屋における室内空気の換気及び／又は循環方法に使用する換気及び／又は循環装置であって、
この換気及び／又は循環装置は、建屋の壁面に設置したインレットシャッタと、このインレットシャッタのケーシングの周面に開設した開口部と、この開口部を開閉する帯状の可動式の扉と、このケーシングに内設したファンとで構成した建屋における室内空気の換気及び／又は循環装置。
【請求項３】
請求項１に記載の建屋における室内空気の換気及び／又は循環方法に使用する換気及び／又は循環装置であって、
この換気及び／又は循環装置は、建屋の壁面に設置したインレットシャッタと、このインレットシャッタのケーシングに連設した伸縮可能なダクトと、このダクトの自由端を連設可能としたファン用の枠体と、この枠体に内設したファンとで構成した建屋における室内空気の換気及び／又は循環装置。
【請求項４】
請求項１に記載の建屋における室内空気の換気及び／又は循環方法に使用する換気及び／又は循環装置であって、
この換気及び／又は循環装置は、建屋の壁面に設置したインレットシャッタと、このインレットシャッタのケーシングに接離可能に設けたファン用の枠体と、この枠体に内設したファンとで構成した建屋における室内空気の換気及び／又は循環装置。
【請求項５】
請求項２〜請求項４に記載の建屋における室内空気の換気及び／又は循環方法に使用する換気及び／又は循環装置であって、
この換気及び／又は循環装置は、建屋の壁面に設置したインレットシャッタの吸込み側に、シャッタを開閉自在に枢着する構成とした建屋における室内空気の換気及び／又は循環装置。
【請求項６】
請求項３に記載の建屋における室内空気の換気及び／又は循環方法に使用する換気及び／又は循環装置であって、
この換気及び／又は循環装置は、ケーシングと、枠体との間に装着したダクトの復帰を司るスプリング、ワイヤ、チェーン等の復帰手段を付設する構成とした建屋における室内空気の換気及び／又は循環装置。
【発明の詳細な説明】
【技術分野】
【０００１】
本発明は、ハウス、ガラスハウス、温室等の農事用、畜産用、又は工場の建屋における室内空気の換気及び／又は循環方法と、その装置に関する。
【背景技術】
【０００２】
従来、この種の建屋における室内空気の換気及び／又は循環方法と、その装置に関して、室内の換気は、吸込か、排気かの二者択一であり、何れかを選択する構造である。従って、室内空気の換気及び／又は循環は、原則として、意図しない構造となっている。
【０００３】
前述した二者択一の構造では、建屋の換気と、この換気による温湿度調整（生育むらと、低・高温障害の回避）と、又は体温環境の調整に留まっており、抜本的な換気と、この換気の効果を図るには、必ずしも充分とは考えられないのが現況である。
【０００４】
そして、この二者択一の構造と、この二者択一の構造に関連する先行文献を挙げると、下記の文献（１）〜文献（４）が挙げられる。
【０００５】
先ず、文献（１）は、特開平５−２８４８６０の「植物栽培ハウス用吸気装置」であり、この発明は、生育むらと、低温障害を回避するために、インレットシャッタ（屋外側フード）の室内ケーシング（本体）に開口を設け、ファンを介して外気を吸込む際に、外気と内気をミキシングし、外気の直接的な導入を回避することで、その目的を達成することを意図する。
【０００６】
また文献（２）は、特開平１０−１５０８６０の「ハウスの換気システム」であり、この発明は、作物への雫の滴下を回避し、萎凋化、枯れ、生育障害等を解消すること、また内外気のミキシングを失くすこと等を意図するものであり、妻面に設けたファンにダクトを付設し、このダクトを伸縮可能とする構成である。またハウス内に万遍なく、外気の導入又は内気の排出を図るために、このダクトに小孔を開設する構成である。
【０００７】
さらに文献（３）は、特開平９−４８８８の「換気扇」であり、この発明は、給排気を簡便に、かつワンタッチで行い、配管内等の特定の箇所に取付け可能とした換気扇に関するものであり、この配管内に回転可能なモータ及びファンを配備した構成である。また外気の導入時の冷気や花粉等の侵入を回避し、室内空気の保冷の確保と、環境維持を図るために、熱交換器、フィルタ等を配管内に付設した本体フレームに設けた構成である。
【０００８】
尚、文献（４）は、特開２００１−２１１８７の「給排気両用型換気扇」であり、この発明は、その名称の如く、給排気両用型換気扇を提供することを意図し、空調機用の円筒状貫通孔に取付け、取外し自在に、モータ付の換気扇を設置可能とする構成であり、この給排気を、空調機用の円筒状貫通孔を利用して行うことを特徴とする。
【０００９】
【特許文献１】特開平５−２８４８６０
【特許文献２】特開平１０−１５０８６０
【特許文献３】特開平９−４８８８
【特許文献４】特開２００１−２１１８７
【発明の開示】
【発明が解決しようとする課題】
【００１０】
前記文献（１）は、内外気をミキシングし、混合空気を生成することであり、建屋内の空気の循環を意図する構造ではない。従って、一面的な改良に留まっている。また室内ケーシング（本体）に設けた開口の開口面積が少なく、場合によっては、この混合空気の生成において、量的な不足が考えられ、その対応に困ること等の改良点が考えられる。
【００１１】
また文献（２）は、ビニールダクトの伸縮を利用し、作物への雫の滴下防止と、このビニールダクトに設けた小孔を介して外気のハウス内への拡散及び／又は内気の効率的な吸込みを図る構造である。従って、ビニールハウスの換気の効率化を図るに留まり、一面的な改良と考えられる。
【００１２】
さらに文献（３）、（４）は、ファンの方向変換を利用し、給排気を図る構成である。従って、単純な給排気に留まり、一面的な改良と考えられる。
【課題を解決するための手段】
【００１３】
請求項１の発明は、ファンの吸込み方向を、多面的に切換えることで、外気の導入と、内気の循環とを図ることで、作物、家畜、又は人に最適な環境を確保すること、また効率的に内外空気を利用することで、この内外空気の温湿度と、清潔等の自然の条件と、環境とを有効利用すること等を意図する。
【００１４】
また請求項１の発明は、内外空気の温湿度と、清潔等を利用し、建屋内の温湿度の簡易かつ確実な調節と、エネルギーの節約化、生育・成長・作業環境の向上等を図ることを意図する。
【００１５】
さらに請求項１の発明は、建屋全体の生育・成長の均一化、その効率化を図ること等を意図する。
【００１６】
請求項１は、農事用、畜産用の建屋の妻面に、換気扇、循環扇用のファンを設置し、このファンの吸込み方向の、建屋外への開口と、建屋内への開口を切換え可能とした切換え手段を付設し、この切換え手段を利用することで、この建屋に外気を導入し、この建屋内の換気を図り、また建屋の内気の循環を図り、この建屋内の作物、家畜、作業者等の成育、飼育、職場等の換気及び／又は温度並びに湿度、体温環境の最適化を図ることを特徴とした建屋における室内空気の換気及び／又は循環方法である。
【００１７】
請求項２の発明は、請求項１の目的を達成できる建屋における室内空気の換気及び／又は循環装置を提供することを意図する。
【００１８】
請求項２は、請求項１に記載の建屋における室内空気の換気及び／又は循環方法に使用する換気及び／又は循環装置であって、
この換気及び／又は循環装置は、建屋の壁面に設置したインレットシャッタと、このインレットシャッタのケーシングの周面に開設した開口部と、この開口部を開閉する帯状の可動式の扉と、このケーシングに内設したファンとで構成した建屋における室内空気の換気及び／又は循環装置である。
【００１９】
請求項３の発明は、請求項１の目的を達成できる建屋に設置した換気及び／又は循環装置用のインレットシャッタであって、ケーシング、ダクトと、ファンの構造を提供することを意図する。
【００２０】
請求項３は、請求項１に記載の建屋における室内空気の換気及び／又は循環方法に使用する換気及び／又は循環装置であって、
この換気及び／又は循環装置は、建屋の壁面に設置したインレットシャッタと、このインレットシャッタのケーシングに連設した伸縮可能なダクトと、このダクトの自由端を連設可能としたファン用の枠体と、この枠体に内設したファンとで構成した建屋における室内空気の換気及び／又は循環装置である。
【００２１】
請求項４の発明は、請求項１の目的を達成し、かつ簡易で経済的な建屋における室内空気の換気及び／又は循環装置を提供することを意図する。
【００２２】
請求項４は、請求項１に記載の建屋における室内空気の換気及び／又は循環方法に使用する換気及び／又は循環装置であって、
この換気及び／又は循環装置は、建屋の壁面に設置したインレットシャッタと、このインレットシャッタのケーシングに接離可能に設けたファン用の枠体と、この枠体に内設したファンとで構成した建屋における室内空気の換気及び／又は循環装置である。
【００２３】
請求項５の発明は、請求項２〜請求項４の目的を達成できる建屋に設置した換気及び／又は循環装置用のインレットシャッタのシャッタを提供することを意図する。
【００２４】
請求項５は、請求項２〜請求項４に記載の建屋における室内空気の換気及び／又は循環方法に使用する換気及び／又は循環装置であって、
この換気及び／又は循環装置は、建屋の壁面に設置したインレットシャッタの吸込み側に、シャッタを開閉自在に枢着する構成とした建屋における室内空気の換気及び／又は循環装置である。
【００２５】
請求項６の発明は、請求項３の目的を達成できる建屋に設置した換気及び／又は循環装置を提供することを意図する。
【００２６】
請求項６は、請求項３に記載の建屋における室内空気の換気及び／又は循環方法に使用する換気及び／又は循環装置であって、
この換気及び／又は循環装置は、ケーシングと、枠体との間に装着したダクトの復帰を司るスプリング、ワイヤ、チェーン等の復帰手段を付設する構成とした建屋における室内空気の換気及び／又は循環装置である。
【発明の効果】
【００２７】
請求項１の発明は、農事用、畜産用の建屋の妻面に、換気扇、循環扇用のファンを設置し、ファンの吸込み方向の、建屋外への開口と、建屋内への開口を切換え可能とした切換え手段を付設し、切換え手段を利用することで、建屋に外気を導入し、建屋内の換気を図り、また建屋の内気の循環を図り、建屋内の作物、家畜、作業者等の成育、飼育、職場等の換気及び／又は温度並びに湿度、体温環境の最適化を図ることを特徴とした建屋における室内空気の換気及び／又は循環方法である。
【００２８】
従って、請求項１は、下記の特徴がある。
【００２９】
「１」    ファンの吸込み方向を、多面的に切換えることで、外気の導入と、内気の循環とが図れ、作物、家畜、又は人に最適な環境を確保できること、また効率的に内外空気を利用することで、この内外空気の温湿度と、清潔等の自然の条件と、環境とを有効利用できること等である。
【００３０】
「２」    また内外空気の温湿度と、清潔等を利用し、建屋内の温湿度の簡易かつ確実な調節と、エネルギーの節約化、生育・成長・作業環境の向上等が図れる。
【００３１】
「３」    建屋全体の生育・成長の均一化、その効率化が図れる。
【００３２】
請求項２の発明は、請求項１に記載の建屋における室内空気の換気及び／又は循環方法に使用する換気及び／又は循環装置であって、
換気及び／又は循環装置は、建屋の壁面に設置したインレットシャッタと、インレットシャッタのケーシングの周面に開設した開口部と、開口部を開閉する帯状の可動式の扉と、ケーシングを内設したファンとで構成した建屋における室内空気の換気及び／又は循環装置である。
【００３３】
従って、請求項２は、請求項１の目的を達成できる建屋における室内空気の換気及び／又は循環装置を提供できる特徴がある。
【００３４】
請求項３の発明は、請求項１に記載の建屋における室内空気の換気及び／又は循環方法に使用する換気及び／又は循環装置であって、
換気及び／又は循環装置は、建屋の壁面に設置したインレットシャッタと、インレットシャッタのケーシングに連設した伸縮可能なダクトと、ダクトの自由端を連設可能としたファン用の枠体と、枠体に内設したファンとで構成した建屋における室内空気の換気及び／又は循環装置である。
【００３５】
従って、請求項３は、請求項１の目的を達成できる建屋に設置した換気及び／又は循環装置用のインレットシャッタであって、ケーシング、ダクトと、ファンの構造を提供できる特徴がある。
【００３６】
請求項４の発明は、請求項１に記載の建屋における室内空気の換気及び／又は循環方法に使用する換気及び／又は循環装置であって、
換気及び／又は循環装置は、建屋の壁面に設置したインレットシャッタと、インレットシャッタのケーシングに接離可能に設けたファン用の枠体と、枠体に内設したファンとで構成した建屋における室内空気の換気及び／又は循環装置である。
【００３７】
従って、請求項４の発明は、請求項１の目的を達成し、かつ簡易で経済的な建屋における室内空気の換気及び／又は循環装置を提供できる特徴がある。
【００３８】
請求項５の発明は、請求項２〜請求項４に記載の建屋における室内空気の換気及び／又は循環方法に使用する換気及び／又は循環装置であって、
換気及び／又は循環装置は、建屋の壁面に設置したインレットシャッタの吸込み側に、シャッタを開閉自在に枢着する構成とした建屋における室内空気の換気及び／又は循環装置である。
【００３９】
従って、請求項５は、請求項２〜請求項４の目的を達成できる建屋に設置した換気及び／又は循環装置用のインレットシャッタのシャッタを提供できる特徴がある。
【００４０】
請求項６の発明は、請求項３に記載の建屋における室内空気の換気及び／又は循環方法に使用する換気及び／又は循環装置であって、
換気及び／又は循環装置は、ケーシングと、枠体との間に装着したダクトの復帰を司るスプリング、ワイヤ、チェーン等の復帰手段を付設する構成とした建屋における室内空気の換気及び／又は循環装置である。
【００４１】
従って、請求項６は、請求項３の目的を達成できる建屋に設置した換気及び／又は循環装置を提供できる特徴がある。
【発明を実施するための最良の形態】
【００４２】
以下、本発明の実施の態様（形態）を説明する。
【００４３】
最初に、本発明の建屋における室内空気の換気及び／又は循環方法に使用する最適な換気及び／又は循環装置を説明すると、図１〜図３−２の例は、第一の実施例を示すものであり、図１は全体の断面図、図２は要部を示した俯瞰図、図３−１はケーシングの開口と、扉の開口とを整合した貫通孔から、外気を導入する状態を示した断面模式図、図３−２は前記貫通孔を閉塞し、内気の循環状態を示した側面模式図との関係を示した断面模式図である。また図４〜図５−２の例は、第二の実施例を示すものであり、図４は一部省略の全体の側面図、図５−１はダクトを、ケーシングと枠体との間に伸張し、外気を導入する状態を示した一部省略の側面模式図、図５−２はダクトを、ケーシング及び／又は枠体より取外し、内気の循環状態を示した一部省略の側面模式図である。また図６−１と図６−２の例は、第三の実施例を示すものであり、図６−１はケーシングに、ファン枠体とファンが接合した状態を示した側面図、図６−２はケーシングより、ファン枠体とファンが離間した状態を示した側面図である。そして、図７−１は第一の実施例の室内空気の換気及び／又は循環方法を説明する縮尺俯瞰図、図７−２は第二の実施例の室内空気の換気及び／又は循環方法を説明する縮尺俯瞰図、図７−３は第三の実施例の室内空気の換気及び／又は循環方法を説明する縮尺俯瞰図である。
【００４４】
先ず、図１〜図３−２に示した第一の実施例を説明すると、図中１は建屋Ｈの壁面Ｈ１に設置したインレットシャッタ（他の換気扇を含む）で、このインレットシャッタ１は、本体１００と、この本体１００に設けた長い筒状のケーシング１０１とで外郭体を構成し、この外郭体（ケーシング１０１）にファン２（換気扇、循環扇用のファン２である。以下同じ）を設置する。またケーシング１０１には、円筒帯状の扉３を被嵌し、このケーシング１０１に摺動自在で、かつ所定の位置で停止可能とする。このケーシング１０１と、円筒帯状の扉３には、それぞれ開口４、５を開設し、この開口４、５が整合したときに、貫通孔６が形成される構造である。またこのケーシング１０１の開口４は、扉３の盲部３００で遮蔽する構造である。従って、この扉３を、扉３に設けた取手３０１を介して（ガイド部７を利用して）摺動し、前述の如く、開口４、５を整合し、貫通孔６を形成する使用例（後述する内気の循環）と、開口４を盲部３００で遮蔽する使用例（後述する外気の導入）とが考えられる。尚、図示しないが、貫通孔６の開口面積の調整を介して、内外気の混合及び／又は導入（吸込み）調整を図る構造も可能である。
【００４５】
そこで、この第一の実施例において、室内空気の換気及び／又は循環を説明すると、開口４、５を整合し、貫通孔６を形成する使用例は、図３−１の状態であり、ファン２を駆動し、この貫通孔６より内気をケーシング１０１内に導入し、かつこのケーシング１０１の開口部１０１ａより建屋Ｈ内に吹出す構造であり、このファン２を循環扇として利用する。殊に、壁面Ｈ１の近傍の内気を循環することで、該部の内気の澱みを解消し、冷暖房の効果と、生育・成長・作業環境の向上と、この生育・成長の均一化が図れて重宝する。また開口４を盲部３００で遮蔽する使用例は、図３−２の状態であり、ファン２を駆動し、この本体１００のシャッタ１０２を開放し、外気をケーシング１０１内に導入し、かつこのケーシング１０１の開口部１０１ａより建屋Ｈ内に吸込む（外気の導入）構造であり、このファン２を外気導入として利用する。殊に、建屋Ｈの冷房（主として夏場）及び／又は空気清澄（主として冬場）の効果と、生育・成長・作業環境の向上と、この生育・成長の均一化が図れて重宝する。
【００４６】
次に、図４〜図５−２に示した第二の実施例を説明すると、図中１は建屋Ｈの壁面Ｈ１に設置したインレットシャッタで、このインレットシャッタ１は、本体１００と、この本体１００に設けた短い筒状のケーシング１０１とで外郭体を構成する。そして、このケーシング１０１と、建屋Ｈの壁面Ｈ１より内方に設けた枠体１０との間に伸縮性のビニールダクト１１を設ける。そして、このビニールダクト１１は、前記ケーシング１０１の開口部１０１ａの内外周面、又は面一に、同様に枠体１０の一方部に着脱自在に取付けられる（以下、枠体１０側での取外しを説明する）。そして、この枠体１０にはファン２が設けられる。尚、他の構造は、前述の第一の実施例に準ずる。
【００４７】
そこで、この第二の実施例において、室内空気の換気及び／又は循環を説明すると、ビニールダクト１１の一方側を、枠体１０より取外すことで、このビニールダクト１１は、壁面Ｈ１に収束される。この収束は、スプリングによる復帰、シリンダー、リンク機構、ワイヤ機構等の物理的及び／又は遠隔操作による復帰、又は人的な復帰等を利用する。このビニールダクト１１の収束の状態は、図５−２であり、ファン２を駆動し、この枠体１０の一方側及び／又は他方側より吸込み、他方側及び／又は一方側より建屋Ｈ内に吹出す構造であり、このファン２を循環扇として利用する。殊に、壁面Ｈ１のやや内方の内気を循環することで、壁面Ｈの近傍の内気の澱みを解消し、冷暖房の効果と、生育・成長・作業環境の向上と、この生育・成長の均一化が図れて重宝する。またビニールダクト１１を、ケーシング１０１と枠体１０との間に張装し、インレットシャッタ１にビニールダクト１１を連設した使用例は、図５−１の状態であり、ファン２を駆動し、この本体１００のシャッタ１０２を開放し、外気をケーシング１０１からビニールダクト１１内に導入し、かつこの枠体１０の他方側等より建屋Ｈ内に吸込む（外気の導入）構造であり、このビニールダクト１１とファン２を外気導入として利用する。殊に、建屋Ｈの冷房及び／又は空気清澄の効果と、生育・成長・作業環境の向上と、この生育・成長の均一化が図れて重宝する。
【００４８】
以上の第一の実施例と、第二の実施例とを全体的に示した俯瞰図が、図７−１、図７−２であり、空気の動きのうち、矢印「イ」で外気の導入の一例を、また矢印「ロ」で循環経路の一例を示している。
【００４９】
さらに、図６−１と、図６−２に示した第三の実施例を説明すると、この例では、ケーシング１０１内にファン２を設けないことを原則とし、このケーシング１０１に枠体１０を接離可能とする構造であり、例えば、図６−１に示した例では、ケーシング１０１に枠体１０が接合した状態で、外気を導入する（主として、夏場において）構成を示している。また図６−２に示した例では、ケーシング１０１より枠体１０が離間した状態で、内気を循環する（主として冬場において）構成を示している。そして、この枠体１０の移動は、レール１２と吊杆１３又は可動手段１４等を利用する。また遠隔操作も可能である。さらに接合の密着性を確保することは勿論である。尚、ケーシング１０１にファン２を設けることも可能である。また枠体１０にファン２が設けられる。
【００５０】
そこで、この第三の実施例において、室内空気の換気及び／又は循環を説明すると、前述の如く、接合での導入と、離間での循環の方法であり、前述の第一の実施例と、第二の実施例に準ずる。そして、空気の流れを図７−３に示すが、記号は前述の第一の実施例と、第二の実施例に準ずる。尚、この構造では、装置・スペース等の有効利用及び／又は簡略化と、農・畜産作業の容易化、経済性等が図れること、さらに器材の収容の容易化等に寄与できこと等の有益性がある。
【図面の簡単な説明】
【００５１】
【図１】図１は、第一の実施例を示すものであり、その全体の断面図
【図２】図２は、第一の実施例を示すものであり、その要部を示した俯瞰図
【図３−１】図３−１は、第一の実施例を示すものであり、そのケーシングの開口と、扉の開口とを整合した貫通孔から、外気を導入する状態を示した断面模式図
【図３−２】図３−２は、第一の実施例を示すものであり、その前記貫通孔を閉塞し、内気の循環状態を示した側面模式図との関係を示した断面模式図
【図４】第二の実施例を示すものであり、一部省略の全体の側面図
【図５−１】図５−１は、第二の実施例を示すものであり、そのダクトを、ケーシングと枠体との間に伸張し、外気を導入する状態を示した一部省略の側面模式図
【図５−２】図５−２は、第二の実施例を示すものであり、そのダクトを、ケーシング及び／又は枠体より取外し、内気の循環状態を示した一部省略の側面模式図
【図６−１】図６−１はケーシングに、ファン枠体とファンが接合した状態を示した側面図
【図６−２】図６−２はケーシングより、ファン枠体とファンが離間した状態を示した側面図
【図７−１】図７−１は、第一の実施例を示すものであり、その室内空気の換気及び／又は循環方法を説明する縮尺俯瞰図
【図７−２】図７−２は、第二の実施例を示すものであり、その室内空気の換気及び／又は循環方法を説明する縮尺俯瞰図
【図７−３】図７−３は、第三の実施例を示すものであり、その室内空気の換気及び／又は循環方法を説明する縮尺俯瞰図
【符号の説明】
【００５２】
１            インレットシャッタ
１００        本体
１０１        ケーシング
１０１ａ      開口部
１０２        シャッタ
２            ファン
３            扉
３００        盲部
３０１        取手
４            開口
５            開口
６            貫通孔
７            ガイド部
１０          枠体
１１          ビニールダクト
１２          レール
１３          吊杆
１４          可動手段
Ｈ            建屋
Ｈ１          壁面
【図１】
2008144993.tif 000003
【図２】
2008144993.tif 000004
【図３−１】
2008144993.tif 000005
【図３−２】
2008144993.tif 000006
【図４】
2008144993.tif 000007
【図５−１】
2008144993.tif 000008
【図５−２】
2008144993.tif 000009
【図６−１】
2008144993.tif 000010
【図６−２】
2008144993.tif 000011
【図７−１】
2008144993.tif 000012
【図７−２】
2008144993.tif 000013
【図７−３】
2008144993.tif 000014